(57)【要約】【課題】  内部で発生した熱を背面と壁との間に放熱用の隙間を形成することなく簡単な構成で効果的に外部に排出できて、壁に当接又は近接して設置することを可能として設置状態の外観を良くする。【解決手段】  内部の載置部１にオーディオ機器２を載置し且つ背面を壁３に当接又は近接させて配設する壁付け用のオーディオ機器収納家具４である。オーディオ機器収納家具４はガラス扉５、天板６、側板７、底板８を有している。前記天板６に排熱用の開口部９を形成すると共に前面側に吸気口１０を設ける。【選択図】        図１
2006204526.tif 000002
【特許請求の範囲】
【請求項１】
内部の載置部にオーディオ機器を載置し且つ背面を壁に当接又は近接させて配設する壁付け用のオーディオ機器収納家具において、ガラス扉、天板、側板、底板を有し、前記天板に排熱用の開口部を形成すると共に前面側に吸気口を設けて成ることを特徴とするオーディオ機器収納家具。
【請求項２】
吸気口を底板前方側に設けて成ることを特徴とする請求項１記載のオーディオ機器収納家具。
【請求項３】
オーディオ機器を載置するための載置部の上面に該上面よりも下方に凹んだ通気部を設けて成ることを特徴とする請求項１又は請求項２記載のオーディオ機器収納家具。
【請求項４】
天板の後部に排熱用の開口部を形成し、天板又は／及び載置部の下面に前方より後方へ上昇するテーパ部を設けて成ることを特徴とする請求項１乃至請求項３のいずれかに記載のオーディオ機器収納家具。
【請求項５】
天板下面から排熱用の開口部の外部まで至る熱伝導性の高い放熱板を設けて成ることを特徴とする請求項１乃至請求項４のいずれかに記載のオーディオ機器収納家具。
【発明の詳細な説明】
【技術分野】
【０００１】
本発明は、内部に配設するオーディオ機器から発生する熱を効果的に外部に逃がすことができる背面を壁に当接又は近接させて配設するオーディオ機器収納家具に関するものである。
【背景技術】
【０００２】
従来の一般的なオーディオ機器収納家具は、図７に示すように、背板１５に配線用及び放熱用の開口部９’を設け、壁３から離してオーディオ機器収納家具４を設置することで、壁３とオーディオ機器収納家具４の背面との間に放熱用の隙間Ｓを形成し、オーディオ機器収納家具４の内部に配設したオーディオ機器２から発生する熱をオーディオ機器収納家具４の背板１５に設けた開口部９’から上記壁とオーディオ機器収納家具４との間に形成した放熱用の隙間Ｓに放出することで、オーディオ機器収納家具４内に熱がこもらないようにしている。
【０００３】
しかしながら、上記の従来例にあっては、オーディオ機器収納家具４を壁３から離して設置する必要があるため、外観が悪く、また、この放熱用の隙間Ｓ部分に配線が露出していっそう見苦しくなるという問題があった。しかも、オーディオ機器収納家具４内の上部には加熱された空気が滞留して背板１５に設けた配線用及び放熱用の開口部９’から排出されないという問題があった。
【０００４】
そこで、従来から内部の熱を外部に効果的に放出しながら同時に背面を壁に当接又は近接させて設置することができるオーディオ機器収納家具が特許文献１などにより提案されている。
【０００５】
この特許文献１に示された従来例にあっては、側板を外板と内板とよりなり且つ該外側側板と内側側板との間が通気用中空部となった２重構造とし、該側板の前面部の上部と下部とに内部の通気用中空部と連通する放熱用の開口と吸気口とを設け、更に、側板の内板に通気用中空部とオーディオ機器収納家具の内部とを連通する通気用孔とを設け、オーディオ機器収納家具に流入させ、オーディオ機器収納家具内においてオーディオ機器から発生した熱により加熱された空気を通気用孔から通気用中空部を経て放熱用の開口から外部に排気するようになっている。この特許文献１に示された従来例は上記のように２重構造となった側板の前面部の上部と下部とに内部の通気用中空部と外部とを連通する放熱用の開口と吸気口とを設けて側板の前面部において吸気、排気を行っているので、オーディオ機器収納家具の背面を壁に当接又はごく僅かな隙間を介して近接して設置しても、オーディオ機器収納家具内で発生した熱を外部に排出することができる。
【０００６】
しかしながら、この特許文献１に示された従来例にあっては、側板を内部が通気用中空部となった２重構造とする必要があり、コストが高くなってしまうという問題があり、また、オーディオ機器収納家具内に収納したオーディオ機器から発生する熱により加熱された空気をオーディオ機器収納家具内から直接外部に排出するのではなく、オーディオ機器収納家具内からいったん側板の内部の通気用中空部内に導入し、更に、側板の前面の放熱用の開口部から排出するので、加熱された空気の排気経路が長くなり、オーディオ機器収納家具内の加熱された空気の排気が効果的に行われないという問題がある。
【特許文献１】特開平５−３３７０１７号公報
【発明の開示】
【発明が解決しようとする課題】
【０００７】
本発明は上記の従来の問題点に鑑みて発明したものであって、内部で発生した熱を背面と壁との間に放熱用の隙間を形成することなく簡単な構成で効果的に外部に排出できて、壁に当接又は近接して設置することを可能として設置状態の外観を良くすることができるオーディオ機器収納家具を提供することを課題とするものである。
【課題を解決するための手段】
【０００８】
上記課題を解決するために本発明に係るオーディオ機器収納家具は、内部の載置部１にオーディオ機器２を載置し且つ背面を壁３に当接又は近接させて配設する壁付け用のオーディオ機器収納家具４において、ガラス扉５、天板６、側板７、底板８を有し、前記天板６に排熱用の開口部９を形成すると共に前面側に吸気口１０を設けて成ることを特徴とするものである。
【０００９】
このような構成とすることで、オーディオ機器収納家具４内に収納したオーディオ機器２から発生した熱により加熱された空気が上昇して天板６に設けた排熱用の開口部９から外部に効果的に排出できると共に、該オーディオ機器収納家具４内の加熱された空気が排熱用の開口部９から排出されることに伴って前面側に設けた吸気口１０からオーディオ機器収納家具４内に空気が流れ込んでオーディオ機器収納家具４内を冷やし、これによりオーディオ機器収納家具４内の温度が異常上昇するのを防止することができる。しかも、排熱用の開口部９が天板６に設けてあり、吸気口１０がオーディオ機器収納家具４の前面側に設けてあることで、オーディオ機器収納家具４の背面を壁３に当接又はごく僅かな隙間を介して近接させても、上記のようにオーディオ機器収納家具４内で発生した熱を効果的に外部に排出でき、オーディオ機器収納家具４の設置に当たって、従来のようにオーディオ機器収納家具４の背面と壁３との間に放熱用の隙間を形成する必要がなく、外観よく壁３に沿って設置しても何ら問題がなく、しかも、前述の特許文献１のように側板７として内部に通気用中空部を形成した特別な構成の側板７を使用する必要がなく、オーディオ機器収納家具４内で発生した熱を直接外部に排出できて内部に熱がこもるのを確実に防止できる。
【００１０】
また、吸気口１０を底板８前方側に設けることが好ましい。
【００１１】
このような構成とすることで、オーディオ機器２からの発熱で加熱されたオーディオ機器収納家具４内の空気がオーディオ機器収納家具４内を上昇して天板６に設けた排熱用の開口部９から排気されることでオーディオ機器収納家具４内で上昇流が生じるのであるが、同時に底板８前方側の吸気口１０から流入した空気がオーディオ機器収納家具４内の下部に供給されることで、上記上昇流によりオーディオ機器収納家具４内を冷たい空気が下から上に流れてオーディオ機器収納家具４内を隅々まで確実に冷やし内部に熱がこもるのを防止することができる。
【００１２】
また、オーディオ機器２を載置するための載置部１の上面に該上面よりも下方に凹んだ通気部１１を設けることが好ましい。
【００１３】
一般にオーディオ機器２の下面には背の低い脚部２ａを設け、該脚部２ａを底板８や棚板１４等の載置部１に載置するのであるが、この場合脚部２ａの背が低いため、オーディオ機器２の下面と載置部１の上面との間には僅かな隙間しかなく、この僅かな隙間にオーディオ機器２で発生した熱がこもって、オーディオ機器２の下面側からの放熱効率が悪くなる恐れがあるが、上記のように、載置部１の上面に該上面よりも下方に凹んだ通気部１１を設けることで、オーディオ機器２の下面側に熱がこもることがなくてオーディオ機器２の下面側からの放熱効率を良くすることができる。
【００１４】
また、天板６の後部に排熱用の開口部９を形成し、天板６又は／及び載置部１の下面に前方より後方へ上昇するテーパ部１２を設けることが好ましい。
【００１５】
このような構成とすることで、オーディオ機器２からの発熱で加熱されたオーディオ機器収納家具４内の空気がオーディオ機器収納家具４内を上昇して棚板１４の下面に沿って流れて更に上昇して天板６の下面に至り、天板６の下面に至った加熱された空気は天板６後部に設けた排熱用の開口部９から外部に排出されるのであるが、この場合、天板６又は／及び載置部１の下面に至った加熱された空気がテーパ部１２に沿って後方にスムーズに流れて天板６後部に設けた排熱用の開口部９からスムーズに排出でき、これにより棚板１４の下面や天板６の下面に加熱された空気が滞留して温度上昇が著しくなるというようなおそれがない。
【００１６】
また、天板６下面から排熱用の開口部９の外部まで至る熱伝導性の高い放熱板１３を設けることが好ましい。
【００１７】
このような構成とすることで、オーディオ機器２からの発熱で加熱されたオーディオ機器収納家具４内の空気がオーディオ機器収納家具４内を上昇して天板６の下面に至って放熱用の開口部９から排出されるのであるが、この場合、天板６の下面に設けた熱伝導性の高い放熱板１３で吸熱し、該放熱板１３を熱伝導して放熱用の開口部９で放熱することができ、これにより天板６の下面側に熱がこもるのを防止してより効率的に排熱ができることになる。
【発明の効果】
【００１８】
本発明は、オーディオ機器収納家具の内部で発生した熱を天板部に設けた排熱用の開口部から外部に排出でき、このようにオーディオ機器収納家具の背面と壁との間に放熱用の隙間を形成することなく、簡単な構成でオーディオ機器収納家具内で発生した熱を排出でき、これによりオーディオ機器収納家具の背面を壁に当接又は近接して設置することを可能として設置状態の外観を良くすることができる。
【発明を実施するための最良の形態】
【００１９】
以下、本発明を添付図面に示す実施形態に基いて説明する。
【００２０】
オーディオ機器収納家具４は少なくともガラス扉５、天板６、側板７、底板８を有したもので、添付図面に示す実施形態では更に、棚板１４、背板１５を備えている。底板８及び棚板１４がオーディオ機器２を載置する載置部１となっている。
【００２１】
上記棚板１４はオーディオ機器収納家具４内に１又は複数架設されるもので、図１のようにガラス扉５を閉じた状態でガラス扉５と棚板１４の前端との間には隙間を形成して前通気部１６が形成されるようになっており、また、棚板１４の後端と背板１５との間には隙間を形成して後通気部１７が形成されるようになっている。なお、棚板１４の後端を背板１５に当接するように架設する場合には棚板１４の後端部の一部を切り欠いて開口部を形成したり、孔を形成したりすることで後通気部１７を形成するようにしてもよい。
【００２２】
天板６の後部には排熱用の開口部９が形成してある。また、底板８の前方側に吸気口１０が形成してある。図２に示す実施形態では底板８の前端が側板７の前端よりやや後方にずれており、側板７の前端に開閉自在に取付けたガラス扉５の下端が底板８の下面よりも少し上に位置し且つ該ガラス扉５と底板８の前端との間に隙間１９が形成してあって、オーディオ機器収納家具４を床２１に設置した場合にガラス扉５の下端と床２１との間の隙間１８、ガラス扉５と底板８の前端との間の隙間１９を経て外部の空気がオーディオ機器収納家具４内の下部に吸気できるようになっており、この隙間１８、１９により吸気口１０が形成してある。
【００２３】
上記の構成のオーディオ機器収納家具４は図１に示すように背面が壁３に当接又はごくわずかな隙間を介して近接するように配設し、載置部１である底板８、棚板１４上にオーディオ機器２を載置することでオーディオ機器収納家具４内にオーディオ機器２を収納する。
【００２４】
オーディオ機器２を使用すると発熱してオーディオ機器収納家具４内の空気を加熱する。加熱されたオーディオ機器収納家具４内の空気は上昇し、前通気部１６、後通気部１７を通って天板６の下面側に至り、天板６に設けた排熱用の開口部９から外部に排出される。このようにオーディオ機器収納家具４内の空気が加熱されて上昇して天板６に設けた排熱用の開口部９から外部に排出されるという空気流が生じることで、底板８の前方側に吸気口１０から外部の空気がオーディオ機器収納家具４内の最下部に流入し、上記上昇流によりオーディオ機器２を冷却しながら下から上に流れる。これにより、オーディオ機器収納家具４の前面側の下部の吸気口１０から天板６の後部に設けた排熱用の開口部９にかけて図１の矢印のような空気流れが生じ、オーディオ機器収納家具４内に熱気が滞留することなく、スムーズに排出されることになる。
【００２５】
このようにオーディオ機器収納家具４は図１に示すように背面が壁３に当接又はごくわずかな隙間を介して近接するように配設した状態であっても、オーディオ機器収納家具４内で発生した熱を外部にスムーズに排出できるので、従来のように、オーディオ機器収納家具４と壁３との間に放熱用の隙間を必要とせず、外観良く壁３に沿ってオーディオ機器収納家具４を設置できることになる。
【００２６】
ところで、載置部１に載置したオーディオ機器２で発生した熱はオーディオ機器２の上面、前面、側面、背面から放熱されるだけでなく、下面からも放熱される。そのため、従来からオーディオ機器２の下面には背の低い脚部２ａを設け、該脚部２ａを載置部１である底板８や棚板１４等の載置部１に載置し、オーディオ機器２の下面と載置部１の上面との間の隙間２０に放熱するようにしているが、脚部２ａの背が低いため、上記隙間２０の上下寸法が短く、このためオーディオ機器２の下面から発生した熱がこもり易く、下面からの放熱効率が悪くなるおそれがある。
【００２７】
そこで、図３に示すように載置部１の上面に該上面よりも下方に凹んだ凹溝よりなる通気部１１を設ける。このように載置部１の上面に凹溝よりなる通気部１１を設けると、載置部１に載置したオーディオ機器２の下面からの放熱が効果的に行えることになる。該凹溝よりなる通気部１１は載置部１の上面にオーディオ機器２を載置した場合にオーディオ機器２の下面の下方位置に位置する載置部１の上面部の部位に形成するものであり、その面積は大きい方がオーディオ機器２からの放熱効果がよい。
【００２８】
また、図４に示すように天板６の下面を前方より後方へ上昇するテーパ部１２としたり、あるいは、図５のように天板６の下面、棚板１４の下面を前方より後方へ上昇するテーパ部１２としたりすることで、オーディオ機器２から発熱した熱により加熱された空気がテーパ部１２の傾斜に沿って後方にスムーズに流れ、天板６の後部に設けた排熱用の開口部９からスムーズに排出される。この場合、天板６の下面のテーパ部１２の後端部が排熱用の開口部９に至るようにすると共に排熱用の開口部９を後通気部１７の略真上に設けることで、天板６の下面及び棚板１４下面のテーパ部１２に沿って後方に流れる加熱された空気をよりいっそうスムーズに排熱用の開口部９から外部に排出できる。なお、図示を省略しているが、棚板１４の下面のみ上記テーパ部１２としてもよい。
【００２９】
また、図６のように、天板６下面から排熱用の開口部９の外部まで至る熱伝導性の高いアルミニウム板のような放熱板１３を設け、放熱板１３の端部に開口部９よりも外に突出する放熱部１３ａを設けると、オーディオ機器２からの発熱を放熱板１３で吸収し、該放熱板１３を熱伝導して放熱用の開口部９よりも外方に突出した放熱部１３ａで効果的に放熱することができる。放熱板１３は天板６よりも熱伝導率が高い材質であれば、熱伝導率が高い程上記放熱効果がある。
【図面の簡単な説明】
【００３０】
【図１】本発明の一実施形態の断面図である。
【図２】同上の吸気口部分を示す図面で、（ａ）は断面図であり、（ｂ）は斜視図である。
【図３】同上の載置部の上面部に通気部を設けた例を示す断面図である。
【図４】同上の天板の下面をテーパ部とした例を示す断面図である。
【図５】同上の天板の下面及び棚板の下面をテーパ部とした例を示す断面図である。
【図６】同上の放熱板を設けた例を示す断面図である。
【図７】従来例を示す断面図である。
【符号の説明】
【００３１】
１  載置部
２  オーディオ機器
３  壁
４  オーディオ機器収納家具
５  ガラス扉
６  天板
７  側板
８  底板
９  開口部
１０  吸気口
１１  通気部
１２  テーパ部
１３  放熱板
【図１】
2006204526.tif 000003
【図２】
2006204526.tif 000004
【図３】
2006204526.tif 000005
【図４】
2006204526.tif 000006
【図５】
2006204526.tif 000007
【図６】
2006204526.tif 000008
【図７】
2006204526.tif 000009